(57)【要約】【課題】  加入者宅におけるコストを抑制した光符号多重伝送方式の通信システム、通信方法および通信装置を提供する。【解決手段】  パルス発生部４０は、波長λ１の光パルスを発生し、パルス発生部４２は、波長λ２の光パルスを発生する。波長選択性光分配部６２は、伝送路２０を介して受けた光信号のうち、波長λ１の光パルスを復号部７２へ出力し、波長λ２の光パルスを光変調部７５へ出力する。光変調部７５は、符号化部７４から受けたデータ列に基づいて、波長λ２の光パルスを光強度変調し、さらに、光エンコーダ７６．１は、直交符号系列に基づく光拡散符号に変換する。光デコーダ５２．１は、同一の直交符号系列に基づいて、光拡散符号を光パルスに変換する。復号部５４は、変換された光パルスを上りデータ１に復号して出力する。【選択図】        図１
2006238360.tif 000002
【特許請求の範囲】
【請求項１】
伝送路と、
前記伝送路を介して第１の光信号を送出する第１の通信装置と、
前記第１の通信装置から受けた前記第１の光信号を搬送波に用いて、第１のデータを前記第１の通信装置へ送信する第２の通信装置とを備え、
前記第２の通信装置は、
前記第１の光信号を前記第１のデータで変調する第１の変調手段と、
前記第１の変調手段において変調された前記第１の光信号を光拡散符号に変換する第１の光符号変換手段とを含み、
前記第１の通信装置は、
前記第２の通信装置から受けた前記光拡散符号を前記第１の光信号に変換する第１の光符号逆変換手段と、
前記第１の光符号逆変換手段において変換された前記第１の光信号を前記第１のデータに復号する第１の復号手段とを含む、通信システム。
【請求項２】
前記第１の通信装置は、
前記第２の通信装置へ送信する第２のデータで変調した第２の光信号を生成する第２の変調手段と、
前記第１および第２の光信号を結合して送出する光信号結合手段とをさらに含み、
前記第２の通信装置は、
前記第１の通信装置から受けた前記第１の光信号と前記第２の光信号とを分離する光信号分離手段と、
前記第２の光信号を前記第２のデータに復号する第２の復号手段とをさらに含む、請求項１に記載の通信システム。
【請求項３】
前記第２の変調手段は、前記第１の光信号と互いに異なる波長をもつ前記第２の光信号を生成し、
前記光信号分離手段は、受信した光信号の波長に基づいて、前記第１の光信号と前記第２の光信号とを分離する、請求項２に記載の通信システム。
【請求項４】
前記第２の変調手段は、前記第１の光信号と互いに異なる送信タイミングをもつ前記第２の光信号を生成し、
前記光信号分離手段は、光信号の受信タイミングに基づいて、前記第１の光信号と前記第２の光信号とを分離する、請求項２に記載の通信システム。
【請求項５】
前記第１の通信装置は、
前記第２の通信装置へ送信する第２のデータが所定の搬送波成分を含むように補間データを付加する符号化手段と、
前記符号化手段において前記補間データが付加された前記第２のデータで変調した第１の光信号を生成する第２の変調手段とをさらに含み、
前記第２の通信装置は、
前記第１の光信号の一部を抽出して前記第２のデータに復号する第２の復号手段をさらに含む、請求項１に記載の通信システム。
【請求項６】
前記第１の通信装置は、前記第１の光信号を光拡散符号に変換する第２の光符号変換手段をさらに含み、
前記第２の通信装置は、前記第２の通信装置から受けた前記光拡散符号を前記第１の光信号に変換する第２の光符号逆変換手段をさらに含む、請求項５に記載の通信システム。
【請求項７】
前記第１の通信装置は、少なくとも１つの前記第２の通信装置とデータ通信を行う、請求項１〜６のいずれか１項に記載の通信システム。
【請求項８】
伝送路を介して接続される第１の通信装置と第２の通信装置との間の通信方法であって、
前記第１の通信装置が第１の光信号を送出するステップと、
前記第２の通信装置が前記第１の通信装置から受けた前記第１の光信号を搬送波に用いて、第１のデータで変調する第１の変調ステップと、
前記第２の通信装置が前記第１のデータで変調した前記第１の光信号を光拡散符号に変換して送出する第１の光符号変換ステップと、
前記第１の通信装置が前記第２の通信装置から受けた前記光拡散符号を前記第１の光信号に変換する第１の光符号逆変換ステップと、
前記第１の通信装置が前記第１の光符号逆変換ステップにおいて変換された前記第１の光信号を前記第１のデータに復号する第１の復号ステップとからなる、通信方法。
【請求項９】
前記第１の通信装置が第２のデータで変調した第２の光信号を生成する第２の変調ステップと、
前記第１の通信装置が前記第１および第２の光信号を結合して送出する光信号結合ステップと、
前記第２の通信装置が前記第１の通信装置から受けた前記第１の光信号と前記第２の光信号とを分離する光信号分離ステップと、
前記第２の通信装置が前記第２の光信号を前記第２のデータに復号する第２の復号ステップとをさらに含む、請求項８に記載の通信方法。
【請求項１０】
前記第１の通信装置から前記第２の通信装置へ送信される第２のデータが所定の搬送波成分を含むように、前記第１の通信装置が補間データを付加する符号化ステップと、
前記第１の通信装置が前記補間データを付加した前記第２のデータで変調し、第１の光信号を生成する第２の変調ステップと、
前記第２の通信装置が前記第１の通信装置から受けた前記第１の光信号の一部を抽出して前記第２のデータに復号する第２の復号ステップとをさらに含む、請求項８に記載の通信方法。
【請求項１１】
前記第１の通信装置は、少なくとも１つの前記第２の通信装置とデータ通信を行う、請求項８〜１０のいずれか１項に記載の通信方法。
【請求項１２】
他の通信装置と伝送路を介してデータ通信を行う通信装置であって、
前記他の通信装置から受けた第１の光信号を搬送波に用いて、送信データで変調する変調手段と、
前記送信データで変調した前記第１の光信号を光拡散符号に変換して送出する光符号変換手段とを備える、通信装置。
【請求項１３】
前記他の通信装置から前記第１の光信号および前記他の通信装置からの送信データで変調された第２の光信号を受けて、前記第１の光信号と前記第２の光信号とを分離する光信号分離手段と、
前記光信号分離手段において分離された前記第２の光信号を前記送信データに復号する復号手段をさらに備える、請求項１２に記載の通信装置。
【発明の詳細な説明】
【技術分野】
【０００１】
この発明は通信システム、通信方法および通信装置に関し、特に光符号分割多重方式による通信システム、通信方法および通信装置に関するものである。
【背景技術】
【０００２】
近年の情報技術の発展に伴い、家庭においても大容量で高品質なインターネット環境に対する要求が高まっている。このような要求に対応するため、光ファイバを介して加入者をインターネット網に接続するＦＴＴＨ（Fiber To The Home）サービスが急速に普及している。
【０００３】
ＦＴＴＨの構成は、基地局と各加入者宅とをそれぞれ専用の光ファイバで接続するシングルスター網と、一端が複数に分岐された光ファイバを用いて、基地局と複数の加入者宅とを１対ｎで接続するダブルスター網とに分類される。ＦＴＴＨサービスを提供するにあたり、光ファイバの敷設量が少なくて済むダブルスター網の方がコスト的に有利である。
【０００４】
しかしながら、ダブルスター網においては、基地局は、複数の加入者宅と同一の光ファイバで接続されることになるため、各加入者宅への送信データおよび各加入者宅からの受信データを識別する必要がある。
【０００５】
そのため、基地局から各加入者宅へデータ（以下、下りデータと称す）を送信する場合には、基地局は、各加入者宅の識別子を付加したデータを全ての加入者宅へ送信する。そして、各加入者宅では、受信した下りデータのうち、自己の識別子が付加されたものだけを抽出する。また、各加入者宅から基地局へデータ（以下、上りデータと称す）を送信する場合には、各加入者宅は、まず基地局に対して送信要求を送信する。すると、基地局は、各加入者宅の送信タイミングを制御して、送信許可を与える。そして、各加入者宅は、送信許可が与えられた後に上りデータを送信する。
【０００６】
上述のように、基地局は、各加入者宅の送信タイミングを制御するため、接続されている加入者宅の情報を記憶しておく必要がある。そのため、加入者宅に追加や変更があった場合には、基地局側の情報も変更しなければならず、手間がかかるという問題があった。さらに、送信要求および送信許可の手続きが必要であるため、回線の利用率が低下し、上りデータの伝送速度が制限されるという問題もあった。
【０００７】
そこで、光符号分割多重方式によるデータ伝送が検討されている。光符号分割多重方式では、送信側は、光信号に直交符号系列に基づく所定の光学的位相差を与え、時間的に拡散した光拡散符号を用いて送信する。そして、受信側は、送信側と同様の処理を行うことで、送信された光信号に復元する。
【０００８】
さらに、光符号分割多重方式では、直交符号系列の自己相関性から、送信側および受信側が同一の直交符号系列に基づく処理を行わなければ光信号に復元できない。そのため、異なる直交符号系列に基づいて生成された複数の光拡散符号の中から特定の直交符号系列に基づいて生成された光信号のみを抽出して復元できる。
【０００９】
したがって、上述のダブルスター網において、各加入者宅が互いに異なる直交符号系列に基づいて生成した光拡散符号を全くの任意のタイミングで送信したとしても、基地局は、各加入者宅と同一の直交符号系列に基づく処理をそれぞれ行うことで、いずれの加入者宅から送信されたデータであるのかを特定できる。
【００１０】
よって、光符号分割多重方式によれば、基地局の管理を簡素化でき、かつ、上りデータの伝送速度を向上させることができる。
【００１１】
特許文献１には、符号系列として「０」，「１」，「−１」の３値をもつデュオバイナリー符号を用いる光符号分割多重方式が開示されている。
【００１２】
特許文献２には、光源から送出された光を送信データで変調する第１の光強度変調器と、第１の光強度変調器より変調速度の速い第２の光強度変調器とを用いて光拡散符号を生成する光符号多重伝送装置が開示されている。
【特許文献１】特開平１０−１６４０１０号公報
【特許文献２】特開２００１−２７４７７０号公報
【発明の開示】
【発明が解決しようとする課題】
【００１３】
一般的な光通信システムでは、２値の光強度をもつ光パルスが光信号として用いられる。たとえば、送信するデータのビットレートをＦ［ｂｉｔ／ｓｅｃ］とすると、１つの光パルスに割当てられるタイムスロットは、１／Ｆ［ｓｅｃ］となる。
【００１４】
光符号分割多重方式では、光信号を時間領域で拡散し、直交符号系列に従い光学的位相差を与えるため、直交符号系列のビット数に応じた時間拡散幅が必要となる。したがって、光パルスからなる光信号を光拡散符号に変換する場合には、伝送誤りを回避するため、時間拡散によって伸張された光パルスが、次のタイムスロットに重ならないようにしなければならない。
【００１５】
たとえば、４ビットの直交符号系列（１６系列）を用いる場合には、時間領域において４倍に拡散する必要がある。そのため、４倍に拡散された光パルスを１つのタイムスロット内に収めるためには、光パルス幅をタイムスロットの１／４以下にしなければならない。すなわち、１［Ｇｂｉｔ／ｓｅｃ］の伝送速度を実現するためには、光パルスの幅を２５０［ｎｓｅｃ］以下とする必要がある。
【００１６】
しかしながら、上述のように極めて短い時間幅の光パルスを生成する光源は、非常に高価である。そのため、加入者宅におけるコストが増加し、光符号分割多重方式を採用することによる基地局および光ファイバ敷設のコスト低減効果を発揮できないという問題があった。
【００１７】
そこで、この発明は、かかる問題を解決するためになされたものであり、その目的は、加入者宅におけるコストを抑制した光符号多重伝送方式の通信システム、通信方法および通信装置を提供することである。
【課題を解決するための手段】
【００１８】
この発明によれば、伝送路と、伝送路を介して第１の光信号を送出する第１の通信装置と、第１の通信装置から受けた第１の光信号を搬送波に用いて、第１のデータを第１の通信装置へ送信する第２の通信装置とを備え、第２の通信装置は、第１の光信号を第１のデータで変調する第１の変調手段と、第１の変調手段において変調された第１の光信号を光拡散符号に変換する第１の光符号変換手段とを含み、第１の通信装置は、第２の通信装置から受けた光拡散符号を第１の光信号に変換する第１の光符号逆変換手段と、第１の光符号逆変換手段において変換された第１の光信号を第１のデータに復号する第１の復号手段とを含む、通信システムである。
【００１９】
好ましくは、第１の通信装置は、第２の通信装置へ送信する第２のデータで変調した第２の光信号を生成する第２の変調手段と、第１および第２の光信号を結合して送出する光信号結合手段とをさらに含み、第２の通信装置は、第１の通信装置から受けた第１の光信号と第２の光信号とを分離する光信号分離手段と、第２の光信号を第２のデータに復号する第２の復号手段とをさらに含む。
【００２０】
好ましくは、第２の変調手段は、第１の光信号と互いに異なる波長をもつ第２の光信号を生成し、光信号分離手段は、受信した光信号の波長に基づいて、第１の光信号と第２の光信号とを分離する。
【００２１】
好ましくは、第２の変調手段は、第１の光信号と互いに異なる送信タイミングをもつ第２の光信号を生成し、光信号分離手段は、光信号の受信タイミングに基づいて、第１の光信号と第２の光信号とを分離する。
【００２２】
好ましくは、第１の通信装置は、第２の通信装置へ送信する第２のデータが所定の搬送波成分を含むように補間データを付加する符号化手段と、符号化手段において補間データが付加された第２のデータで変調した第１の光信号を生成する第２の変調手段とをさらに含み、第２の通信装置は、第１の光信号の一部を抽出して第２のデータに復号する第２の復号手段をさらに含む。
【００２３】
好ましくは、第１の通信装置は、第１の光信号を光拡散符号に変換する第２の光符号変換手段をさらに含み、第２の通信装置は、第２の通信装置から受けた光拡散符号を第１の光信号に変換する第２の光符号逆変換手段をさらに含む。
【００２４】
好ましくは、第１の通信装置は、少なくとも１つの第２の通信装置とデータ通信を行う。
【００２５】
また、この発明によれば、伝送路を介して接続される第１の通信装置と第２の通信装置との間の通信方法であって、第１の通信装置が第１の光信号を送出するステップと、第２の通信装置が第１の通信装置から受けた第１の光信号を搬送波に用いて、第１のデータで変調する第１の変調ステップと、第２の通信装置が第１のデータで変調した第１の光信号を光拡散符号に変換して送出する第１の光符号変換ステップと、第１の通信装置が第２の通信装置から受けた光拡散符号を第１の光信号に変換する第１の光符号逆変換ステップと、第１の通信装置が第１の光符号逆変換ステップにおいて変換された第１の光信号を第１のデータに復号する第１の復号ステップとからなる、通信方法である。
【００２６】
好ましくは、第１の通信装置が第２のデータで変調した第２の光信号を生成する第２の変調ステップと、第１の通信装置が第１および第２の光信号を結合して送出する光信号結合ステップと、第２の通信装置が第１の通信装置から受けた第１の光信号と第２の光信号とを分離する光信号分離ステップと、第２の通信装置が第２の光信号を第２のデータに復号する第２の復号ステップとをさらに含む。
【００２７】
好ましくは、第１の通信装置から第２の通信装置へ送信される第２のデータが所定の搬送波成分を含むように、第１の通信装置が補間データを付加する符号化ステップと、第１の通信装置が補間データを付加した第２のデータで変調し、第１の光信号を生成する第２の変調ステップと、第２の通信装置が第１の通信装置から受けた第１の光信号の一部を抽出して第２のデータに復号する第２の復号ステップとをさらに含む。
【００２８】
好ましくは、第１の通信装置は、少なくとも１つの第２の通信装置とデータ通信を行う。
【００２９】
また、この発明によれば、他の通信装置と伝送路を介してデータ通信を行う通信装置であって、他の通信装置から受けた第１の光信号を搬送波に用いて、送信データで変調する変調手段と、送信データで変調した第１の光信号を光拡散符号に変換して送出する光符号変換手段とを備える、通信装置である。
【００３０】
好ましくは、他の通信装置から第１の光信号および他の通信装置からの送信データで変調された第２の光信号を受けて、第１の光信号と第２の光信号とを分離する光信号分離手段と、光信号分離手段において分離された第２の光信号を送信データに復号する復号手段をさらに備える。
【発明の効果】
【００３１】
この発明によれば、第２の通信装置は、第１の通信装置から受けた光信号を搬送波に用いて、データを送信するため、第２の通信装置は、搬送波の発生手段を備える必要がない。そのため、光符号分割多重方式を実現する場合にも、第２の通信装置は、極めて短い時間幅の光パルスを発生させる必要がない。よって、第２の通信装置は、高価な光源が不要となり、コストを抑制した光符号分割多重方式の通信システムおよび通信方法を実現できる。
【００３２】
また、この発明によれば、他の通信装置から受けた光信号を搬送波に用いてデータを送信するため、搬送波の発生手段を備える必要がない。そのため、光符号分割多重方式を実現する場合にも、極めて短い時間幅の光パルスを発生させる必要がない。よって、高価な光源が不要となり、光符号分割多重方式を実現するためのコストを抑制した通信装置を実現できる。
【発明を実施するための最良の形態】
【００３３】
この発明の実施の形態について、図面を参照しながら詳細に説明する。なお、図中の同一または相当部分については、同一符号を付してその説明は繰返さない。
【００３４】
［実施の形態１］
図１は、この発明の実施の形態１に従う通信システム１００の概略構成図である。
【００３５】
図１を参照して、通信システム１００は、基地局側装置１と、加入者宅側装置２．１，２．２，・・・，２．ｎと、伝送路２０，２４と、光分配部２２と、光結合部２６とからなる。また、基地局側装置１は、送信部１．１と、受信部１．２とからなる。
【００３６】
送信部１．１は、インターネット網やＷＡＮ（Wide Area Network：広域通信網）など（図示しない）から加入者宅側装置２．１，２．２，・・・，２．ｎの各々へ送信する下りデータ１，２，・・・，ｎで変調した光信号を生成し、伝送路２０を介して送信する。そして、送信部１．１は、符号化部３０と、パルス発生部４０，４２と、光変調部３２と、光結合部３４とからなる。
【００３７】
符号化部３０は、外部から下りデータ１，２，・・・，ｎを受けて、送信先の加入者宅側装置２．１，２．２，・・・，２．ｎを特定するための識別子を付加した後、１次元の「０」と「１」とからなる２値のデータ列に符号化する。そして、符号化部３０は、符号化したデータ列を光変調部３２へ出力する。
【００３８】
パルス発生部４０は、下りデータ１，２，・・・，ｎの搬送波となる、波長λ１の光パルスを発生し、光変調器３２へ出力する。そして、パルス発生部４０は、下りデータ１，２，・・・，ｎ全体を伝送できるビットレートをもつ光パルスを発生する。
【００３９】
パルス発生部４２は、上りデータ１，２，・・・，ｎの搬送波となる、波長λ２の光パルスを発生し、光結合部３４へ出力する。そして、パルス発生部４２は、時間的な拡散によるタイムスロットの重なりを生じないようなパルス幅をもち、かつ、可干渉性をもつ光パルスを発生する。
【００４０】
光変調部３２は、符号化部３０から受けたデータ列に基づいて、パルス発生部４０から出力される光パルスを光強度変調する。実施の形態１においては、光変調部３２は、データ列の「０」または「１」に対応して、光強度がゼロまたは最大、すなわち、「オフ」または「オン」となるように変調する。そして、光変調部３２は、変調した光パルスを光結合部３４へ出力する。
【００４１】
光結合部３４は、光変調部３２から受けた光パルスとパルス発生部４２から受けた光パルスとを結合し、伝送路２０へ出力する。
【００４２】
伝送路２０は、光ファイバで構成され、基地局側装置１と光分配部２２とを接続し、基地局側装置１から送信された光信号を光分配部２２へ伝送する。
【００４３】
光分配部２２は、伝送路２０を介して受けた光信号をｎ分割し、分割した光信号をそれぞれ加入者宅側装置２．１，２．２，・・・，２．ｎへ出力する。
【００４４】
加入者宅側装置２．１，２．２，・・・，２．ｎは、基地局側装置１から受けた光信号をそれぞれ下りデータ１，２，・・・，ｎに復号して出力する。また、加入者宅側装置２．１，２．２，・・・，２．ｎは、基地局側装置１へ送信する上りデータ１，２，・・・，ｎで変調した光信号を生成して送信する。
【００４５】
加入者宅側装置２．１は、波長選択性光分配部６２と、復号部７２と、符号化部７４と、光変調部７５と、光エンコーダ７６．１とからなる。
【００４６】
波長選択性光分配部６２は、伝送路２０を介して受けた光信号を波長に応じて、２分割する。そして、波長選択性光分配部６２は、波長λ１の光パルスを復号部７２へ出力し、波長λ２の光パルスを光変調部７５へ出力する。
【００４７】
復号部７２は、波長選択性光分配部６２から受けた波長λ１の光パルスの光強度に応じて、データ列を生成する。そして、復号部７２は、生成したデータ列に付加されている識別子に基づいて、自己宛てのデータのみを抽出し、下りデータ１として出力する。
【００４８】
符号化部７４は、外部から上りデータ１を受けて、１次元の「０」と「１」とからなる２値のデータ列に符号化する。そして、符号化部７４は、符号化したデータ列を光変調部７５へ出力する。
【００４９】
光変調部７５は、符号化部７４から受けたデータ列に基づいて、波長選択性光分配部６２から受けた波長λ２の光パルスを光強度変調する。そして、光変調部７５は、光強度変調した光パルスを光エンコーダ７６．１へ出力する。以下、光変調部７５は、光変調部３２と同様であるので、詳細な説明は繰返さない。
【００５０】
光エンコーダ７６．１は、予め定められた直交符号系列に基づいて、光変調部７５から受けた光パルスを光拡散符号に変換して、光結合部２６へ出力する。なお、以下の説明では、光拡散符号への変換を、「光符号変換」とも称す。
【００５１】
加入者宅側装置２．２，・・・，２．ｎは、光エンコーダ７６．１に代えて、それぞれ光エンコーダ７６．２，・・・，７６．ｎを用いる点を除いては、加入者宅側装置２．１と同様であるので、詳細な説明は繰返さない。
【００５２】
光結合部２６は、加入者宅側装置２．１，２．２，・・・，２．ｎの各々から受けた光信号を結合し、伝送路２４へ出力する。
【００５３】
伝送路２４は、光ファイバで構成され、基地局側装置１と光結合部２６とを接続し、光結合部２６から受けた光信号を基地局側装置１へ伝送する。
【００５４】
受信部１．２は、加入者宅側装置２．１，２．２，・・・，２．ｎから受けた光信号をそれぞれ上りデータ１，２，・・・，ｎに復号してインターネット網やＷＡＮなど（図示しない）へ出力する。そして、受信部１．２は、光分配部５０と、光デコーダ５２．１，５２．２，・・・，５２．ｎと、復号部５４とからなる。
【００５５】
光分配部５０は、伝送路２４を介して受けた光信号をｎ分割し、分割した光信号をそれぞれ光デコーダ５２．１，５２．２，・・・，５２．ｎへ出力する。
【００５６】
光デコーダ５２．１，５２．２，・・・，５２．ｎは、予め定められた直交符号系列に基づいて、光分配部５０から受けた光拡散符号を光パルスに変換して、それぞれ復号部５４へ出力する。なお、以下の説明では、光拡散符号から光パルスへの変換を、「光符号逆変換」とも称す。
【００５７】
復号部５４は、光デコーダ５２．１，５２．２，・・・，５２．ｎの各々から受けた光パルスの光強度をタイムスロット毎に積分し、その値が所定のしきい値以上であるか否かに基づいて「０」または「１」の２値のデータ列を生成する。そして、復号部５４は、その生成したデータ列をそれぞれ上りデータ１，２，・・・，ｎに復号して出力する。
【００５８】
なお、上述したように、光符号分割多重方式では、光エンコーダと光デコーダとは、互いに同一の処理を行う必要がある。そのため、光エンコーダ７６．１と光デコーダ５２．１とは、互いに同一の構成をもつ。さらに、光エンコーダ７６．２，・・・，７６．ｎと光デコーダ５２．２，・・・，５２．ｎとについても、それぞれ互いに同一の構成をもつ。
【００５９】
図２は、光エンコーダ７６．１の概略構成図である。
【００６０】
図２を参照して、光エンコーダ７６．１は、光分配部９０と、光結合部９２と、光遅延路９４．１，９４．２，９４．３，９４．４とからなる。
【００６１】
光分配部９０は、外部から与えられた光パルスを４つに均等分配し、それぞれ光遅延路９４．１，９４．２，９４．３，９４．４へ出力する。
【００６２】
光遅延路９４．１は、光分配部９０から受けた光パルスを遅延させることなく光結合部９２へ出力する。
【００６３】
光遅延路９４．２は、光分配部９０から受けた光パルスをパルス幅の時間だけ遅延させて光結合部９２へ出力する。
【００６４】
光遅延路９４．３は、光分配部９０から受けた光パルスをパルス幅の２倍の時間だけ遅延させて光結合部９２へ出力する。
【００６５】
光遅延路９４．４は、光分配部９０から受けた光パルスをパルス幅の３倍の時間だけ遅延させて光結合部９２へ出力する。
【００６６】
また、光信号は、進行方向に対して垂直な振動を行う「横波」であるので、進行方向において異なる２点で観察すると、光学的位相差が生じることになる。そのため、伝送路に入力される光信号と、伝送路から出力される光信号との間には、伝送路長に応じた光学的位相差が生じることになる。
【００６７】
そこで、光遅延路９４．１，９４．２，９４．３，９４．４は、それぞれ直交符号系列に応じて、入力される光信号と出力される光信号との光学的位相が、同相または逆相、すなわち「０」または「π」となるように伝送路長が設定される。
【００６８】
なお、光信号をパルス幅の時間だけ遅延させるために必要な長さは、数ｃｍオーダーであるのに対して、光信号の位相を反転させるために必要な長さは、数μｍオーダーである。よって、両者には、１０の６乗もの差があるため、伝送路の長さを調整することで、所望の遅延時間および光学的位相差を与えることができる。
【００６９】
光結合部９２は、光遅延路９４．１，９４．２，９４．３，９４．４から出力された光パルスを結合する。
【００７０】
光デコーダ５２．１は、光エンコーダ７６．１と同様である。
【００７１】
さらに、光エンコーダ７６．２，・・・，７６．ｎおよび光デコーダ５２．２，・・・，５２．ｎについても、光エンコーダ７６．１と同様であるので、詳細な説明は繰返さない。
【００７２】
図３は、通信システム１００における加入者宅側装置２．１から基地局側装置１への光符号分割多重方式によるデータ伝送を説明する図である。
【００７３】
図３（ａ）は、光変調部７５から出力される光パルスである。
【００７４】
図３（ｂ）は、光エンコーダ７６．１で光符号変換された後の光拡散符号である。
【００７５】
図３（ｃ）は、光デコーダ５２．１で光符号逆変換された後の光パルスである。
【００７６】
図３（ｄ）は、復号部５４に入力する光信号である。
【００７７】
図３（ｅ）は、光デコーダ５２．２で光符号逆変換された後の光パルスである。
【００７８】
図３（ｆ）は、復号部５４に入力する光信号である。
【００７９】
図３（ａ）を参照して、光変調部７５は、基地局側装置１から受けたパルス幅Ｔの光パルスを送信する。また、光パルスのタイムスロットＴｓは、上りデータ１のビットレートに応じて決定される。
【００８０】
図３（ｂ）を参照して、光エンコーダ７６．１は、たとえば、４ビットの直交符号系列「０１０１」をもち、入力された光パルスを、４つの光パルスに拡散し、各々に対して「０」，「π」，「０」，「π」の光学的位相差を与える。
【００８１】
図３（ｃ）を参照して、光デコーダ５２．１は、光エンコーダ７６．１と同一の直交符号系列「０１０１」をもち、加入者宅側装置２．１から受けた光パルスを、さらに４つの光パルスに拡散して、それぞれに「０」，「π」，「０」，「π」の光学的位相差を与える。時間軸上において、同一の光学的位相をもつ光パルス同士は強め合い、異なる光学的位相をもつ光パルス同士は弱め合う。その結果、光デコーダ５２．１は、図３（ｄ）に示されるような光強度特性をもつ光信号を出力する。そして、復号部５４は、タイムスロットＴｓ毎に光強度を積分して、光パルスの有無を判断する。
【００８２】
ところで、加入者宅側装置２．１から送信された光信号は、光デコーダ５２．１に加えて、他の光デコーダ５２．２，・・・，５２．ｎへも分配される。
【００８３】
図３（ｅ）を参照して、光デコーダ５２．２は、たとえば、光エンコーダ７６．１と異なる直交符号系列「００００」をもち、加入者宅側装置２．１から受けた光パルスを、さらに４つの光パルスに拡散して、それぞれに「０」，「０」，「０」，「０」の光学的位相差を与える。その結果、光デコーダ５２．２は、図３（ｆ）に示されるような低レベルでノイズ性の光強度特性をもつ光信号を出力する。
【００８４】
上述のように、基地局側装置１と加入者宅側装置２．１，２．２，・・・，２．ｎとにおいて、異なる直交符号系列をもつ場合には、正常に光信号を復元できない。そのため、互いに同一の直交符号系列である場合にのみ、データ伝送が成立し、異なる直交符号系列である場合には、データ伝送が成立しない。したがって、加入者宅側装置２．１から送信された上りデータ１が、基地局側装置１において、他の上りデータ２，・・・，ｎに影響を与えることはない。
【００８５】
実施の形態１においては、光変調部７５が第１の変調手段を実現し、光エンコーダ７６．１，７６．２，・・・，７６．ｎが第１の光符号変換手段を実現し、光デコーダ５２．１，５２．２，・・・，５２．ｎが第１の光符号逆変換手段を実現し、復号部５４が第１の復号手段を実現する。また、光変調部３２が第２の変調手段を実現し、光結合部３４が光信号結合手段を実現し、波長選択性光分配部６２が光信号分離手段を実現し、復号部７２が第２の復号手段を実現する。
【００８６】
この発明の実施の形態１によれば、基地局側装置は、下りデータで変調した、波長λ１の光パルスとともに、何らの変調も行っていない波長λ２の光パルスを加入者宅側装置へ出力する。一方、加入者宅側装置は、基地局側装置から受けた波長λ１の光パルスを下りデータに復号するとともに、波長λ２の光パルスを搬送波に用いて、上りデータで変調し、さらに光符号変換をした後に基地局側装置へ送信する。よって、加入者宅側装置は、搬送波である光パルスを発生させるための高価な光源を必要としないため、コストを抑制した光符号分割多重方式の通信システムを実現できる。
【００８７】
また、この発明の実施の形態１によれば、同一の構造をもつエンコーダとデコーダとの間でのみデータ伝送が成立する。よって、基地局側装置と複数の各加入者側装置との間における送受信タイミングなどの回線制御が不要となり、加入者の変更などへの対応が容易になる。
【００８８】
［実施の形態２］
実施の形態１においては、異なる２つの波長を用いて、下りデータで変調された光パルスと、上りデータの搬送波となる光パルスとを同一の伝送路で送信する場合について説明した。
【００８９】
一方、実施の形態２においては、異なる２つの送信タイミングを用いて、下りデータで変調された光パルスと、上りデータの搬送波となる光パルスとを同一の伝送路で送信する場合について説明する。
【００９０】
図４は、この発明の実施の形態２に従う通信システム１０２の概略構成図である。
【００９１】
図４を参照して、通信システム１０２は、基地局側装置３と、加入者宅側装置４．１，４．２，・・・，４．ｎと、伝送路２０，２４と、光分配部２２と、光結合部２６とからなる。また、基地局側装置３は、送信部３．１と、受信部１．２とからなる。
【００９２】
送信部３．１は、インターネット網やＷＡＮなど（図示しない）から加入者宅側装置４．１，４．２，・・・，４．ｎの各々へ送信する下りデータ１，２，・・・，ｎで変調した光信号を生成し、伝送路２０を介して送信する。そして、送信部３．１は、符号化部３０と、パルス発生部３６と、パルス逓倍部３８と、光変調部３２と、光結合部３４とからなる。
【００９３】
符号化部３０と、光変調部３２とは、実施の形態１と同様であるので、詳細な説明は繰返さない。
【００９４】
パルス発生部３６は、下りデータ１，２，・・・，ｎおよび上りデータ１，２，・・・，ｎの搬送波となる光パルスを発生する。さらに、パルス発生部３６は、光符号変換に伴う時間的な拡散による重なりを生じないようなパルス幅をもち、かつ、可干渉性をもつ光パルスを発生する。そして、パルス発生部３６は、発生した光パルスをパルス逓倍部３８および光結合部３４へ出力する。
【００９５】
パルス逓倍部３８は、下りデータ１，２，・・・，ｎ全体を伝送できるビットレートをもつような光パルスを発生するため、パルス発生部３６から受けた光パルス数を整数倍にする。そして、パルス逓倍部３８は、その光パルスを光変調部３２へ出力する。
【００９６】
光結合部３４は、光変調部３２から受けた光パルスとパルス発生部３６から受けた光パルスとを結合し、伝送路２０へ出力する。
【００９７】
伝送路２０と、光分配部２２とは、実施の形態１と同様であるので、詳細な説明は繰返さない。
【００９８】
加入者宅側装置４．１，４．２，・・・，４．ｎは、基地局側装置３から受けた光信号をそれぞれ下りデータ１，２，・・・，ｎに復号して出力する。また、加入者宅側装置４．１，４．２，・・・，４．ｎは、基地局側装置３へ送信する上りデータ１，２，・・・，ｎで変調した光信号を生成して送信する。
【００９９】
加入者宅側装置４．１は、光分配部６０と、光スイッチ６４，６６と、同期制御部７０と、復号部７３と、符号化部７４と、光変調部７５と、光エンコーダ７６．１とからなる。
【０１００】
光分配部６０は、伝送路２０を介して受けた光信号を２分割し、光スイッチ６４および６６へ出力する。
【０１０１】
光スイッチ６４および６６は、同期制御部７０からの制御指令に応じて、光信号を透過または遮断する。そして、光スイッチ６４は、透過させた光信号を復号部７２へ出力する。また、光スイッチ６６は、透過させた光信号を光変調部７５へ出力する。
【０１０２】
復号部７３は、光スイッチ６４から受けた光信号の光強度に応じて、データ列を生成する。そして、復号部７３は、生成したデータ列に付加されている識別子に基づいて、自己宛てのデータのみを抽出し、下りデータ１として出力する。また、復号部７３は、実施の形態１における復号部７２および５４と同様に、光信号を光強度に応じた電気信号に変換する光電気変換部（Ｏ／Ｅ）６８を含む。
【０１０３】
光電気変換部６８は、光スイッチ６４から受けた光信号を光強度に応じた電気信号に変換し、復号部７３に含まれる復号回路（図示しない）へ出力するとともに、同期制御部７０へ出力する。
【０１０４】
同期制御部７０は、光電気変換部６８から受けた電気信号に基づいて、送信部３．１から受けた光信号に含まれる下りデータ１，２，・・・，ｎにより変調された光パルスおよび上りデータ１，２，・・・，ｎの搬送波である光パルスの受信タイミングを取得する。そして、同期制御部７０は、その受信タイミングに応じて、光スイッチ６４または／および６６を駆動し、光パルスを分離する。すなわち、同期制御部７０は、下りデータ１，２，・・・，ｎにより変調された光パルスを復号部７３へ出力し、上りデータ１，２，・・・，ｎの搬送波である光パルスを光変調部７５へ出力する。なお、上述したように、下りデータ１，２，・・・，ｎにより変調された光パルスは、上りデータ１，２，・・・，ｎの搬送波である光パルスを逓倍したものであるから、下りデータ１，２，・・・，ｎにより変調された光パルス中に、上りデータ１，２，・・・，ｎの搬送波である光パルスが周期的に出現することになる。
【０１０５】
符号化部７４と、光変調部７５と、光エンコーダ７６．１とは、実施の形態１と同様であるので、詳細な説明は繰返さない。
【０１０６】
加入者宅側装置４．２，・・・，４．ｎは、光エンコーダ７６．１に代えて、それぞれ光エンコーダ７６．２，・・・，７６．ｎを用いる点を除いては、加入者宅側装置４．１と同様であるので、詳細な説明は繰返さない。
【０１０７】
光結合部２６と、伝送路２４とは、実施の形態１と同様であるので、詳細な説明は繰返さない。
【０１０８】
受信部１．２は、実施の形態１と同様であるので、詳細な説明は繰返さない。
【０１０９】
実施の形態２においては、光変調部７５が第１の変調手段を実現し、光エンコーダ７６．１，７６．２，・・・，７６．ｎが第１の光符号変換手段を実現し、光デコーダ５２．１，５２．２，・・・，５２．ｎが第１の光符号逆変換手段を実現し、復号部５４が第１の復号手段を実現する。また、光変調部３２が第２の変調手段を実現し、光結合部３４が光信号結合手段を実現し、光分配部６０、光スイッチ６４および６６が光信号分離手段を実現し、復号部７３が第２の復号手段を実現する。
【０１１０】
この発明の実施の形態２によれば、実施の形態１における効果に加えて、基地局側装置における光パルスを発生する光源が１つで済むため、基地局側装置のコストを抑制することができる。よって、よりコストを抑制した光符号分割多重方式の通信システムを実現できる。
【０１１１】
［実施の形態３］
実施の形態１および２においては、加入者側装置が、下りデータで変調された光パルスと上りデータの搬送波となる光パルスとを分離する場合について説明した。
【０１１２】
一方、実施の形態３においては、下りデータで変調された光パルスをそのまま上りデータの搬送波に用いる場合について説明する。
【０１１３】
図５は、この発明の実施の形態３に従う通信システム１０４の概略構成図である。
【０１１４】
図５を参照して、通信システム１０４は、基地局側装置５と、加入者宅側装置６．１，６．２，・・・，６．ｎと、伝送路２０，２４と、光分配部２２と、光結合部２６とからなる。また、基地局側装置５は、送信部５．１と、受信部５．２とからなる。
【０１１５】
送信部５．１は、インターネット網やＷＡＮなど（図示しない）から加入者宅側装置６．１，６．２，・・・，６．ｎの各々へ送信する下りデータ１，２，・・・，ｎで変調した光信号を生成し、伝送路２０を介して送信する。そして、送信部５．１は、符号化部４４と、パルス発生部３６と、光変調部３２とからなる。
【０１１６】
符号化部４４は、外部から下りデータ１，２，・・・，ｎを受けて、送信先の加入者宅側装置６．１，６．２，・・・，６．ｎを特定するための識別子を付加した後、１次元の「０」と「１」とからなる２値のデータ列に符号化する。そして、符号化部４４は、所定の時間間隔における「１」の発生確率が一定となるように、符号化したデータ列に補間ビットを付加する。さらに、符号化部４４は、補間ビットを付加したデータ列を光変調部３２へ出力する。
【０１１７】
パルス発生部３６と、光変調部３２とは、実施の形態２と同様であるので、詳細な説明は繰返さない。
【０１１８】
伝送路２０と、光分配部２２とは、実施の形態１と同様であるので、詳細な説明は繰返さない。
【０１１９】
加入者宅側装置６．１，６．２，・・・，６．ｎは、基地局側装置５から受けた光信号をそれぞれ下りデータ１，２，・・・，ｎに復号して出力する。また、加入者宅側装置６．１，６．２，・・・，６．ｎは、基地局側装置５へ送信する上りデータ１，２，・・・，ｎで変調した光信号を生成して送信する。
【０１２０】
加入者宅側装置６．１は、光分配部６０と、復号部７８と、符号化部７４と、光変調部７５と、光エンコーダ７６．１とからなる。
【０１２１】
光分配部６０は、伝送路２０を介して受けた光信号を２分割し、復号部７８および光変調部７５へ出力する。
【０１２２】
復号部７８は、光分配部６０から受けた光パルスの光強度に応じて、データ列を生成する。そして、復号部７８は、生成したデータ列に付加されている補間ビットを取除き、データ列を生成する。さらに、復号部７８は、識別子に基づいて、自己宛てのデータのみを抽出し、下りデータ１として出力する。
【０１２３】
符号化部７４と、光変調部７５と、光エンコーダ７６．１とは、実施の形態１と同様であるので、詳細な説明は繰返さない。
【０１２４】
加入者宅側装置６．２，・・・，６．ｎは、光エンコーダ７６．１に代えて、それぞれ光エンコーダ７６．２，・・・，７６．ｎを用いる点を除いては、加入者宅側装置６．１と同様であるので、詳細な説明は繰返さない。
【０１２５】
光結合部２６と、伝送路２４とは、実施の形態１と同様であるので、詳細な説明は繰返さない。
【０１２６】
受信部５．２は、加入者宅側装置６．１，６．２，・・・，６．ｎから受けた光信号をそれぞれ上りデータ１，２，・・・，ｎに復号してインターネット網やＷＡＮなど（図示しない）へ出力する。そして、受信部５．２は、光分配部５０と、光デコーダ５２．１，５２．２，・・・，５２．ｎと、復号部５６とからなる。
【０１２７】
光分配部５０と、光デコーダ５２．１，５２．２，・・・，５２．ｎとは、実施の形態２と同様であるので、詳細な説明は繰返さない。
【０１２８】
復号部５６は、光デコーダ５２．１，５２．２，・・・，５２．ｎの各々から受けた光信号の光強度を所定のタイムスロット毎に積分し、その値が所定のしきい値以上であるか否かに基づいて「０」または「１」の２値のデータ列を生成する。そして、復号部５６は、その生成したデータ列をそれぞれ上りデータ１，２，・・・，ｎに復号する。
【０１２９】
図６は、通信システム１０４における補間ビットを付加した光パルスによるデータ伝送を説明する図である。
【０１３０】
図６（ａ）は、下りデータの一例である。
【０１３１】
図６（ｂ）は、図６（ａ）に示す下りデータを受けて光変調部３２から出力される光パルスである。
【０１３２】
図６（ｃ）は、図６（ｂ）に示す光パルスを受けて上りデータで変調された光パルスである。
【０１３３】
図６（ａ）を参照して、符号化部４４は、下りデータ１，２，・・・，ｎを受けて、たとえば、「１０１１００１１」に符号化する。さらに、符号化部４４は、図６（ｂ）に示すように、１つのタイムスロット内において必ず「１」が存在するように、データ列に含まれるビット毎に補間ビットを付加する。すなわち、符号化部４４は、送信すべきデータが「１」の場合には、補間ビット「０」を付加して、「１０」に変換する。また、送信すべきデータが「０」の場合には、補間ビット「１」を付加して、「０１」に変換する。
【０１３４】
したがって、パルス発生部３６は、下りデータの２倍以上のビットレートをもつ光パルスを発生する。このように、補間ビットが付加された光パルスは、上りデータの搬送波として用いられる。
【０１３５】
すなわち、光変調部７５は、光変調部３２から出力された光パルスに対して、符号化部７４から受けたデータ列に応じた変調を行う。符号化部７４が、たとえば、「０１１０１００１」を出力すると、光変調部７５は、図６（ｃ）に示すような光パルスを出力する。なお、光変調部７５は、パルス発生部３６が出力する光パルスの１／２のビットレートで変調を行う。
【０１３６】
さらに、復号部５６が受信する光パルスには、タイムスロットの前半または後半に光パルスが存在するため、復号部５６は、タイムスロット内で光強度を積分することにより、「０」または「１」を判別できる。
【０１３７】
実施の形態３においては、光変調部７５が第１の変調手段を実現し、光エンコーダ７６．１，７６．２，・・・，７６．ｎが第１の光符号変換手段を実現し、光デコーダ５２．１，５２．２，・・・，５２．ｎが第１の光符号逆変換手段を実現し、復号部５６が第１の復号手段を実現する。また、符号化部４４が符号化手段を実現し、光変調部３２が第２の変調手段を実現し、復号部７８が第２の復号手段を実現する。
【０１３８】
この発明の実施の形態３によれば、実施の形態１における効果に加えて、基地局側装置は、下りデータと搬送波とを含む光パルスを送信し、加入者宅側装置は、受信した光パルスから下りデータを復号し、かつ、その光パルスをそのまま搬送波として用いる。よって、基地局側装置は、下りデータで変調された光パルスと、搬送波となる光パルスとを分離する必要がないため、構成が簡略化され、よりコストを抑制した光符号分割多重方式の通信システムを実現できる。
【０１３９】
［実施の形態４］
実施の形態１〜３においては、加入者側装置が、受信したデータ列に付加されている識別子に基づいて、自己宛てのデータのみを抽出することにより多重化する場合について説明した。
【０１４０】
一方、実施の形態４においては、下りデータの伝送にも光符号分割多重伝送方式を用いる場合について説明する。
【０１４１】
図７は、この発明の実施の形態４に従う通信システム１０６の概略構成図である。
【０１４２】
図７を参照して、通信システム１０６は、基地局側装置７と、加入者宅側装置８．１，８．２，・・・，８．ｎと、伝送路２０，２４と、光分配部２２と、光結合部２６とからなる。また、基地局側装置７は、送信部７．１と、受信部５．２とからなる。
【０１４３】
送信部７．１は、インターネット網やＷＡＮなど（図示しない）から加入者宅側装置８．１，８．２，・・・，８．ｎの各々へ送信する下りデータ１，２，・・・，ｎで変調した光信号を生成し、伝送路２０を介して送信する。そして、送信部７．１は、符号化部５８と、パルス発生部３６と、光変調部３２と、光エンコーダ４６．１，４６．２，・・・，４６．ｎと、光結合部４８とからなる。
【０１４４】
符号化部５８は、外部からそれぞれ下りデータ１，２，・・・，ｎを受けて、１次元の「０」と「１」とからなる２値のデータ列に符号化する。以下、符号化部５８は、符号化部４４と同様であるので、詳細な説明は繰返さない。
【０１４５】
パルス発生部３６と、光変調部３２とは、実施の形態２と同様であるので、詳細な説明は繰返さない。
【０１４６】
光エンコーダ４６．１，４６．２，・・・，４６．ｎは、予め定められた直交符号系列に基づいて、それぞれ光変調部３２から受けた光パルスを光拡散符号に変換して、光結合部４８へ出力する。
【０１４７】
光結合部４８は、それぞれ光変調部３２から受けた光信号を結合し、伝送路２０へ出力する。
【０１４８】
伝送路２０と、光分配部２２とは、実施の形態１と同様であるので、詳細な説明は繰返さない。
【０１４９】
加入者宅側装置８．１，８．２，・・・，８．ｎは、基地局側装置７から受けた光信号をそれぞれ下りデータ１，２，・・・，ｎに復号して出力する。また、加入者宅側装置８．１，８．２，・・・，８．ｎは、基地局側装置７へ送信する上りデータ１，２，・・・，ｎで変調した光信号を生成して送信する。
【０１５０】
加入者宅側装置８．１は、光デコーダ８２．１と、光分配部６０と、復号部７８と、符号化部７４と、光変調部７５と、光エンコーダ７６．１とからなる。
【０１５１】
光デコーダ８２．１は、予め定められた直交符号系列に基づいて、光分配部２２から受けた光パルスに対して光符号逆変換を行い、光分配部６０へ出力する。そして、光エンコーダ７６．１は、光デコーダ５２．１と互いに同一の構成をもつ。
【０１５２】
光分配部６０は、伝送路２０を介して受けた光信号を２分割し、復号部７８および光変調部７５へ出力する。
【０１５３】
復号部７８と、符号化部７４と、光変調部７５と、光エンコーダ７６．１とは、実施の形態３と同様であるので、詳細な説明は繰返さない。
【０１５４】
加入者宅側装置８．２，・・・，８．ｎは、光デコーダ８２．１に代えて、それぞれ光デコーダ８２．２，・・・，８２．ｎを用いる点、および、光エンコーダ７６．１に代えて、それぞれ光エンコーダ７６．２，・・・，７６．ｎを用いる点を除いては、加入者宅側装置８．１と同様であるので、詳細な説明は繰返さない。なお、光エンコーダ７６．２，・・・，７６．ｎは、それぞれ光デコーダ５２．２，・・・，５２．ｎと互いに同一の構成をもつ。
【０１５５】
光結合部２６と、伝送路２４とは、実施の形態１と同様であるので、詳細な説明は繰返さない。
【０１５６】
受信部５．２は、実施の形態３と同様であるので、詳細な説明は繰返さない。
【０１５７】
実施の形態４においては、光変調部７５が第１の変調手段を実現し、光エンコーダ７６．１，７６．２，・・・，７６．ｎが第１の光符号変換手段を実現し、光デコーダ５２．１，５２．２，・・・，５２．ｎが第１の光符号逆変換手段を実現し、復号部５６が第１の復号手段を実現する。また、符号化部５８が符号化手段を実現し、光変調部３２が第２の変調手段を実現し、光エンコーダ４６．１，４６．２，・・・，４６．ｎが第２の光符号変換手段を実現し、光デコーダ８２．１，８２．２，・・・，８２．ｎが第２の光符号逆変換手段を実現し、復号部７８が第２の復号手段を実現する。
【０１５８】
この発明の実施の形態４によれば、実施の形態１における効果に加えて、基地局側装置は、下りデータを光符号分割多重方式で送信するので、下りデータの各々を互いに独立して送信できる。そのため、加入者宅の増加に伴う下りデータ系列の増加に対しても、光エンコーダを追加するだけでよい。よって、全ての下りデータを共通の符号化部で一次元のデータ列に符号化する場合に比較して、より柔軟な通信システムを実現できる。
【０１５９】
［その他の形態］
上述の実施の形態１〜４においては、基地局側装置と加入者側装置との間は、それぞれ上りデータ用および下りデータ用の異なる２つの伝送路で接続される場合について説明したが、共通の１つの伝送路で接続する構成としてもよい。光信号は、横波であるため、伝搬方向の異なる２つの光信号同士では、干渉を生じない。そのため、共通の伝送路を用いて、上りデータ用および下りデータ用の双方向のデータ伝送が可能である。
【０１６０】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０１６１】
【図１】この発明の実施の形態１に従う通信システムの概略構成図である。
【図２】光エンコーダの概略構成図である。
【図３】通信システムにおける加入者宅側装置から基地局側装置への光符号分割多重方式によるデータ伝送を説明する図である。
【図４】この発明の実施の形態２に従う通信システムの概略構成図である。
【図５】この発明の実施の形態３に従う通信システムの概略構成図である。
【図６】通信システムにおける補間ビットを付加した光パルスによるデータ伝送を説明する図である。
【図７】この発明の実施の形態４に従う通信システムの概略構成図である。
【符号の説明】
【０１６２】
１，３，５，７  基地局側装置、１．１，３．１，５．１，７．１  送信部、１．２，５．２  受信部、２．１，２．２，・・・，２．ｎ，４．１，４．２，・・・，４．ｎ，６．１，６．２，・・・，６．ｎ，８．１，８．２，・・・，８．ｎ  加入者宅側装置、
２０，２４  伝送路、２２，５０，６０，９０  光分配部、２６，３４，４８，９２  光結合部、３０，４４，５８，７４  符号化部、３２，７５  光変調部、３６，４０，４２  パルス発生部、３８  パルス逓倍部、４６．１，４６．２，・・・，４６．ｎ，７６．１，７６．２，・・・，７６．ｎ  光エンコーダ、５２．１，５２．２，・・・，５２．ｎ，８２．１，８２．２，・・・，８２．ｎ  光デコーダ、５４，５６，７２，７３，７８  復号部、６２  波長選択性光分配部、６４，６６  光スイッチ、６８  光電気変換部（Ｏ／Ｅ）、７０  同期制御部、９４．１，９４．２，９４．３，９４．４  光遅延路、１００，１０２，１０４，１０６  通信システム、Ｔ  パルス幅、Ｔｓ  タイムスロット、λ１，λ２  波長。
【図１】
2006238360.tif 000003
【図２】
2006238360.tif 000004
【図３】
2006238360.tif 000005
【図４】
2006238360.tif 000006
【図５】
2006238360.tif 000007
【図６】
2006238360.tif 000008
【図７】
2006238360.tif 000009